(57)【要約】【課題】  タッチパネルを有する撮像装置において、ユーザがタッチパネル下のモニターを目視せずとも把持状態を維持しながらの設定操作が容易にできるように、操作性の向上を図る。【解決手段】  タッチパネル（１０２）と、前記タッチパネル前記タッチパネル（１０２）の右側よりの表面に設置された円弧上の突起（１０３）と、前記タッチパネル（１０２）におけるタッチ位置を示す座標情報から設定値情報に変換するシステム制御部（１５０）を備えることを特徴とする撮像装置。【選択図】  図１
2020005214.tif 000002
【特許請求の範囲】
【請求項１】
撮像装置であって、
該撮像装置の背面側に設けられたタッチパネルと、
前記タッチパネルの表面上であって、該撮像装置を背面側から見て中央より右側である第１の方向側、かつ、中央より上側である第２の方向側に設けられた線状の突起部と、
前記突起部に対する操作に応じて所定の機能を実行する制御手段と、
を有することを特徴とする。
【請求項２】
ファインダをさらに有し、
前記突起部は、前記ファインダより前記第１の方向側に設けられていることを特徴とする請求項１に記載の撮像装置。
【請求項３】
前記ファインダより前記第１の方向側に設けられているグリップ部をさらに有することを特徴とする請求項１又は２に記載の撮像装置。
【請求項４】
前記突起部は、ユーザが該撮像装置を撮影姿勢で保持したときに、該撮像装置を保持する手の親指で操作可能な範囲に設けられていることを特徴とする請求項１乃至３のいずれか１項に記載の撮像装置。
【請求項５】
前記タッチパネルは、第１の表示手段の表面上に設けられ、
前記表示手段は、前記突起部に対する操作に応じて実行する前記所定の機能に関する情報を対応する位置に表示することを特徴とする請求項１乃至４のいずれか１項に記載の撮像装置。
【請求項６】
前記ファインダ内に第２の表示手段をさらに有し、
前記第２の表示手段は、前記突起部および該突起部に対する操作に対応する表示を行うことを特徴とする請求項２乃至５のいずれか１項に記載の撮像装置。
【請求項７】
前記突起部は、前記タッチパネルに埋め込まれて又は接着されて形成されることを特徴とする請求項１乃至６のいずれか１項に記載の撮像装置。
【請求項８】
前記突起部は、非導電材料であることを特徴とする請求項１乃至７のいずれか１項に記載の撮像装置。
【請求項９】
前記突起部は、円弧状であることを特徴とする請求項１乃至８のいずれか１項に記載の撮像装置。
【請求項１０】
前記制御手段は、ユーザのタッチ座標を前記突起部の中心からの距離情報と前記突起部の中心を基準としたときの角度情報に変換する演算手段を有することを特徴とする請求項９に記載の撮像装置。
【請求項１１】
前記制御手段は、前記距離情報と前記角度情報の時間変化からユーザの操作種別を判定する判定手段をさらに有し、
前記判定手段の判定結果に応じて前記所定の機能を実行することを特徴とする請求項１０に記載の撮像装置。
【請求項１２】
前記突起部は、中心を同一とする大きさの異なる二つ以上の円弧状の突起であることを特徴とする請求項１乃至１１のいずれか１項に記載の撮像装置。
【請求項１３】
前記制御手段は、前記大きさの異なる２つ以上の円弧状の突起部のうち、第１の突起部への操作と第２の突起部への操作で異なる機能を実行することを特徴とする請求項１２に記載の撮像装置。
【請求項１４】
前記第１の表示手段は、再生画像又はライブビュー画像を表示するときに、該第１の表示手段のうち前記突起部の設けられた領域を含む領域に画像全体を表示する第１の表示状態と、該第１の表示手段のうち前記突起部が設けられた領域を除く領域に前記画像全体を表示する第２の表示状態と、を切り替えて表示可能であることを特徴とする請求項１乃至１３のいずれか１項に記載の撮像装置。
【請求項１５】
タッチパネルと、
前記タッチパネルの表面上に設けられた中心を同一とする大きさの異なる２つ以上の円弧状の突起部と、
前記突起部に対する操作に応じて所定の機能を実行する制御手段と、
を有することを特徴とする電子機器。
【請求項１６】
前記制御手段は、前記大きさの異なる２つ以上の円弧状の突起部のうち、第１の突起部と第２の突起部の間のタッチ位置の移動があったときにフリック操作と判定する第１の判定手段、を有することを特徴とする請求項１５に記載の電子機器。
【請求項１７】
前記制御手段は、前記大きさの異なる２つ以上の円弧状の突起部のうち、２つ以上の突起部に同時にタッチされていることを検知したときにタップ操作と判定する第２の判定手段、を有することを特徴とする請求項１５又は１６に記載の電子機器。
【請求項１８】
タッチパネルと、
前記タッチパネルの表面上に、少なくとも２つの突起部に同時にタッチ可能な所定の間隔で並行して設けられた２つ以上の線状の突起部と、
前記突起部に対する操作に応じて所定の機能を実行する制御手段と、
を有することを特徴とする電子機器。
【請求項１９】
前記制御手段は、前記２つ以上の線状の突起部のうち、第１の突起部と第２の突起部の間のタッチ位置の移動があったときにフリック操作と判定する第１の判定手段、を有することを特徴とする請求項１８に記載の電子機器。
【請求項２０】
前記制御手段は、前記２つ以上の線状の突起部のうち、少なくとも２つの突起部に同時にタッチされていることを検知したときにタップ操作と判定する第２の判定手段、を有することを特徴とする請求項１８又は１９に記載の電子機器。
【発明の詳細な説明】
【技術分野】
【０００１】
本発明は、タッチ操作部材を有する撮像装置に関するものである。
【背景技術】
【０００２】
近年、タッチパネルを備えた撮像装置が存在する。タッチパネルを備えた撮像装置では、タッチパネルに指が接近あるいは接触し、センサ出力が閾値を越えた時に、指がタッチしていると判断し、タッチしている位置の座標が算出される。ユーザはタッチパネル下のモニターを見ながらタッチを行うことで、入力対象と操作対象が一致しているのを視覚的に確認しながら、直感的に操作を行うことができる。
【０００３】
しかしながら、タッチパネルを目視しない状況で操作を行う場合には、ユーザは視覚的な情報を得ることができないうえに、従来の物理釦のような触覚的な情報も得ることができず、設定操作が困難となる。
【０００４】
そのような課題に対して、特許文献１では、タッチパネル上に円弧上の突起を形成し、これに指を沿わせることで、突起と指の接触点の位置感覚から、タッチパネル下のモニターを目視せずとも設定操作を行える入力装置が開示されている。
【先行技術文献】
【特許文献】
【０００５】
【特許文献１】特開２０１５−１９１４６７
【発明の概要】
【発明が解決しようとする課題】
【０００６】
撮像装置では、撮影時などにファインダを覗き込みながら、タッチパネル下のモニターを目視せずに設定操作を行いたい状況がある。また、複数の項目を設定したり、異なる機能を実行させたい場合も考えられる。撮像装置においてユーザが集中して撮影を行うためには、タッチパネル下のモニターを目視していない状態でも、把持状態を維持しながらの設定操作が容易であるものが望まれる。しかしながら、上述の特許文献１に開示された従来技術では、タッチパネル上の突起の配置や形状が、例えば、ファインダを覗きながら操作するような場合などには、タッチパネルを目視しないで操作することが難しい。
【０００７】
そこで本発明の目的は、タッチパネルの突起部をガイドとして操作する場合の操作性を向上させることができる手段を提供することである。
【課題を解決するための手段】
【０００８】
上記目的を達成するために、本発明は撮像装置であって、該撮像装置の背面側に設けられたタッチパネルと、前記タッチパネルの表面上であって、該撮像装置を背面側から見て中央より右側である第１の方向側、かつ、中央より上側である第２の方向側に設けられた線状の突起部と、前記突起部に対する操作に応じて所定の機能を実行する制御手段と、を有することを特徴とする。
【発明の効果】
【０００９】
本発明によれば、タッチパネルを備えた電子機器において、タッチパネルの突起部をガイドとして操作する場合の操作性を向上させることができる。
【図面の簡単な説明】
【００１０】
【図１】本発明に係る撮像装置の例を示す外観図
【図２】本発明に係る撮像装置の構成例を示すブロック図
【図３】本発明の第１の実施形態に係る撮像装置の突起部をガイドとした操作種別の例を示す図
【図４】本発明の第１の実施形態に係る突起部（ガイド）を操作した場合の操作種別を特定するフローチャート
【図５】本発明の第２の実施形態に係る撮像装置の例を示す外観図
【図６】本発明の第２の実施形態に係る突起部（ガイド）を操作した場合の操作種別を特定するフローチャート
【図７】本発明の第３の実施形態に関わる表示系の実施例を示す図
【発明を実施するための形態】
【００１１】
以下、図面を参照して本発明の好ましい実施形態を説明する。
【００１２】
図１は、本発明に係るおける撮像装置の例を示す外観図である。本発明を適用可能な装置の一例として、撮像装置であるレンズ交換式のデジタルカメラ１００の（ａ）背面図、（ｂ）正面図、（ｃ）ｄ―ｅ線での断面図を示す。
【００１３】
図１（ａ）は、デジタルカメラ１００を背面から見た図であり、デジタルカメラ１００は、表示部として画像や各種情報を表示する第一の表示部１０１を装備する。第一の表示部１０１は、デジタルカメラ１００の背面側に設けられた表示部であり、画像や各種情報を表示する。
【００１４】
タッチパネル１０２は、第一の表示部１０１の表示面（操作面）に対するタッチ操作（接触）を検出することができる。タッチパネル１０２と第一の表示部１０１とは一体的に構成することができる。例えば、タッチパネル１０２を光の透過率が第一の表示部１０１の表示を妨げないように構成し、第一の表示部１０１の表示面の上層に取り付ける。そして、タッチパネルにおける入力座標と、第一の表示部１０１上の表示座標とを対応付ける。これにより、恰もユーザが第一の表示部１０１上に表示された画面を直接的に操作可能であるかのようなＧＵＩを構成することができる。タッチパネル１０２は、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１５】
突起部１０３は、タッチパネル１０２の表面上のタッチ操作をガイドするための突起であり、本実施形態においては円弧上に装備されている。図１（ｃ）は、ｄ−ｅ線での断面図である。突起部１０３タッチパネル１０２に埋め込んで形成されてもよいし、シールや接着剤を用いてタッチパネルに接着して形成されるのも良い。ユーザは突起部１０３をガイドとしてタッチパネル１０２の操作が可能である。タッチパネル１０２の検出精度が突起部１０３により劣化するのを防ぐために、突起部１０３は非導電材料であることが望ましい。
【００１６】
第二の表示部１０４は、デジタルカメラ１００上面に設けられた表示部であり、本実施形態においては、被写体を確認するための覗き込み型の電子式ファインダである。
【００１７】
シャッターボタン１０５は、撮影準備指示および撮影実行指示を行うための入力部である。シャッターボタン１０５は、ユーザがデジタルカメラ１００を撮影姿勢で保持した際に、デジタルカメラ１００を持っている手の人差し指もしくは中指で操作可能な範囲に配置されることが望ましい。
【００１８】
グリップ部１０６は、ユーザがデジタルカメラ１００を構える際に右手で握りやすい形状とした保持部である。グリップ部１０６を右手の小指、薬指、中指で握ってデジタルカメラ１００を撮影姿勢で保持した状態で、右手の人差指で操作可能な位置にシャッターボタン１０５が配置されている。
【００１９】
ここで、突起部１０３（ガイド）は、本発明のデジタルカメラ１００の例では、以下の条件１、２を満たすタッチパネル１０２の表面上に設けられている。
・条件１：デジタルカメラ１００の背面のうち、第二の表示部１０４（ファインダ）より右側（第１の方向側）に突起部１０３（ガイド）が設けられている。
・条件２：デジタルカメラ１００のうち、中央よりも、上側（第２の方向側）に突起部１０３（ガイド）が設けられている。
【００２０】
すなわち、ユーザがデジタルカメラ１００を正しい握り方（メーカー推奨の握り方）で把持している状態において、グリップ部１０６を握った右手の親指で操作可能な位置に突起部１０３が配置されている。これにより、第二の表示部１０４（ファインダ）を覗きながら突起部１０３をガイドにした操作が容易に可能である。具体的には、グリップ部１０６を握った状態で、突起部１０３に右手の親指で触れて、タップ操作、上下左右へのスライド操作、回転操作などが行いやすくなっている。これにより、ユーザが第二の表示部１０４（ファインダ）を覗きながら撮影に集中している状況においても、撮影時の把持状態を崩すことなく右手親指の動きのみで設定操作を容易に行うことが可能である。
【００２１】
図２は、本実施形態に係る撮像装置（デジタルカメラ１００）の構成例を示すブロック図である。なお、図１と同じ構成については同じ符号を付し、その説明を省略する。
【００２２】
撮影レンズ１１０は、デジタルカメラ１００に取り付けられるズームレンズ、フォーカスレンズを含むレンズ群であり、被写体の光情報を集光する。なお、図２の構成例ではデジタルカメラ１００は、撮影レンズ１１０が交換可能なレンズ交換型撮像装置であるが、撮影レンズ１１０を一体に有するレンズ一体型撮像装置であってもよい。
【００２３】
シャッター１２０は撮影時露光時間中のみ開き、それ以外の時は光をさえぎるシャッターである。
【００２４】
撮像部１３０は、撮影レンズ１１０により集光された光学像を電気信号に変換するＣＣＤやＣＭＯＳ素子等で構成される撮像素子である。
【００２５】
Ａ／Ｄ変換器１４０は、アナログ信号をデジタル信号に変換する変換器で、撮像部１３０から出力されるアナログ信号をデジタル信号に変換するために用いられる。
【００２６】
画像処理部１５０は、Ａ／Ｄ変換器１４０からのデータ、又は、メモリ制御部１７０からのデータに対し所定の画素補間、縮小といったリサイズ処理や色変換処理を行う。また、画像処理部１５０では、撮像した画像データを用いて所定の演算処理が行われ、得られた演算結果に基づいてシステム制御部１８０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１５０では更に、撮像した画像データを用いて所定の演算処理を行い、得られた演算結果に基づいてＴＴＬ方式のＡＷＢ（オートホワイトバランス）処理も行っている。
【００２７】
メモリ１６０は、撮像部１３０によって得られＡ／Ｄ変換器１４０によりデジタルデータに変換された画像データや、第一の表示部１０１および第二の表示部１０４に表示するための画像データを格納する。Ａ／Ｄ変換器１４０からの出力データは、画像処理部１５０及びメモリ制御部１７０を介して、或いは、メモリ制御部１７０を介してメモリ１６０に直接書き込まれる。メモリ１６０は、所定枚数の静止画像や所定時間の動画像および音声を格納するのに十分な記憶容量を備え、また、画像表示用のメモリ（ビデオメモリ）を兼ねている。
【００２８】
メモリ制御部１７０は、Ａ／Ｄ変換器１４０、画像処理部１５０、メモリ１６０、第一のＤ／Ａ変換器１７１、第二のＤ／Ａ変換器１７４を制御する。
【００２９】
第一のＤ／Ａ変換器１７１は、メモリ１６０に格納されている画像表示用のデータをアナログ信号に変換して第一の表示部１０１に供給する。第二のＤ／Ａ変換器１７４は、メモリ１６０に格納されている画像表示用のデータをアナログ信号に変換して第二の表示部１０４に供給する。第一の表示部１０１は、ＬＣＤ等の表示器上に、第１のＤ／Ａ変換器１１１からのアナログ信号に応じた表示を行う。第二の表示部１０４は、ＬＣＤ等の表示器上に、第二のＤ／Ａ変換器１１４からのアナログ信号に応じた表示を行う。メモリ１６０に蓄積されたデジタル信号を、第一のＤ／Ａ変換器１１１もしくは第二のＤ／Ａ変換器１１４においてアナログ変換し、第一の表示部１０１もしくは第二の表示部１０４に転送して表示する。これにより、それぞれの表示部は、スルー画像表示を行える。なお、第２の表示部１０４は、ミラーにレンズが捉えた景色を反射させて被写体を見る光学ファインダであってもよく、その場合は、デジタルカメラ１００がミラーを有する構成とし、第二のＤ／Ａ変換器１７４はなくてもよい。
【００３０】
システム制御部１８０は、デジタルカメラ１００全体を制御する。不揮発性メモリ１８１に記録されたプログラムを実行することで、後述する本実施形態の各処理を実現する。また、タッチパネル１０２、シャッターボタン１０５などの操作手段を介して入力された動作指示に応じて、デジタルカメラ１００内の各ブロックを制御して動作を実行する。システム制御部１８０は、タッチパネル１０２への以下の操作を検出できる。
・タッチパネル１０２を指で触れたこと（以下、タッチダウンと称する）。
・タッチパネル１０２を指で触れたまま移動していること（以下、ムーブと称する）。
・タッチパネル１０２へ触れていた指を離したこと（以下、タッチアップと称する）。
【００３１】
これらの操作や、タッチパネル１０２の表面上に指が触れている位置座標はシステム制御部１８０に通知され、システム制御部１８０は通知された情報に基づいてタッチパネル１０２の表面上にどのような操作が行なわれたかを判定する。ムーブについてはタッチパネル１０２の表面上で移動する指の移動方向についても、位置座標の変化に基づいて、タッチパネル１０２の表面上の垂直成分・水平成分毎に判定できる。このとき、突起部１０３は、ユーザがタッチパネル１０２から指示を入力するときのガイドとなる。
【００３２】
不揮発性メモリ１８１は、電気的に消去・記録可能なメモリであり、例えばＥＥＰＲＯＭ等が用いられる。不揮発性メモリ１５１（ＲＯＭ）には、システム制御部１８０の動作用の定数、プログラム等が記憶される。
【００３３】
システムメモリ１８２は、ＲＡＭが用いられる。システムメモリ１５２（ＲＡＭ）には、システム制御部１８０の動作用の定数、変数、不揮発性メモリ１８１から読み出したプログラム等を展開する。
【００３４】
システムタイマー１８３は各種制御に用いる時間や、内蔵された時計の時間を計測する計時部である。
【００３５】
接眼検知センサ１９０は、ユーザが第一の表示部１０１と第二の表示部１０４のどちらを目視しているか検知する。接眼検知センサ１９０の検知結果に応じて、ユーザが目視している方の表示部だけを表示させることもできる。
【００３６】
以下、図３〜図７を参照して、本発明の第１〜３の実施形態の動作を説明する。以下では、本発明の実施例として、撮像装置であるデジタルカメラに用いる例を説明するが、本発明の第１〜３の実施形態は撮像装置に限らず他の電子機器にも適用可能である。
【００３７】
（第１の実施形態）
以下、第１の実施形態として、本発明に係る撮像装置における突起部１０３をガイドとしたタッチパネル１０２へのユーザ操作種別と、システム制御部１８０における操作種別特定処理について説明する。
【００３８】
図３は、本発明の第１の実施形態に係る撮像装置の突起部１０３をガイドとした操作種別の例を示す図である。
・図３（ａ）「タップ」操作
ユーザが突起部１０３上、もしくはその近傍にタッチダウンした後に、指をムーブさせることなくタッチアップさせる操作
・図３（ｂ）「回転」操作
ユーザが突起部１０３上、もしくはその近傍にタッチダウンした後に、指を突起部１０３に沿うように時計回りもしくは反時計回りに一定量ムーブさせた後にタッチアップさせる操作
・図３（ｃ）「フリック」操作
ユーザが突起部１０３上、もしくはその近傍にタッチダウンした後に、指を円の中心方向もしくは中心方向とは逆方向に一定量ムーブさせた後にタッチアップさせる操作
【００３９】
これら突起部１０３近傍におけるユーザの特定の動作は、突起部１０３をガイドとすることで容易に実行可能となる。
【００４０】
図４は、本発明の第１の実施形態に係る突起部（ガイド）を操作した場合の操作種別を特定するフローチャートである。本フローチャートを参照して、図３で示したユーザのタッチパネルへの操作種別を特定する制御方法について説明する。本フローチャートは、システム制御部１８０によって、各処理ブロックを制御し実行される処理手順を図示したものである。システム制御部１８０が、不揮発性メモリ１８１に格納されたプログラムをシステムメモリ１８２に展開して実行することにより実現される。本フローチャートは、システム制御部１８０が、タッチパネル１０２からの情報を受理したときに開始される。
【００４１】
まず、ステップＳ４０１では、タッチパネル１０２から受理した情報により、タッチダウンがあったか判断する。タッチダウンありと判断したときはステップＳ４０２へ進み、タッチダウンなしと判断したときはステップＳ４０１を繰り返して再度タッチダウンの判定を行う。
【００４２】
次に、ステップＳ４０２では、タップフラグをＯＮにする初期化を行う。その後、ステップＳ４０３へ進む。
【００４３】
ステップＳ４０３では、タッチパネル１０２から受理した情報により、タッチパネル１０２における直交座標系で表されるタッチダウン座標Ｐｄ（ｘｄ、ｙｄ）を取得する。その後、ステップＳ４０４へ進む。
【００４４】
ステップＳ４０４では、タッチダウン座標Ｐｄを、タッチパネル１０２における直交座標系から突起部１０３の円の中心を原点とした極座標系に変換する。具体的には、Ｐｄと突起部１０３の円の中心（ｘ０、ｙ０）から、極座標系のタッチダウン距離Ｍｄ（＝√（（ｘｄ−ｘ０）＾２＋（ｙｄ−ｙ０）＾２））とタッチダウン角度θｄ（＝ａｒｃｔａｎ（（ｙｄ−ｙ０）／（ｘｄ−ｘ０）））に変換する。その後ステップＳ４０５へ進む。
【００４５】
ステップＳ４０５では、ユーザのタッチダウンが突起部１０３をガイドとした入力であったか判断をする。具体的には、Ｍｄが円半径＋α以下であったか判断をする。ここでαは例えば一般的な親指の太さほどの大きさとする。これによりユーザが突起部１０３の外側に沿って触れたときも、タッチダウンが突起部１０３をガイドとした入力であったと判断できる。タッチダウンが突起部１０３をガイドとした入力でないとき、つまり通常タッチパネル操作のとき、ステップＳ４０６へ進み、通常タッチパネル処理を行う。タッチダウンが突起部１０３をガイドとした入力であるとき、ステップＳ４０７へ進む。
【００４６】
ステップＳ４０７では、Ｍｄを距離基準点Ｍｏに、θｄを角度基準点θｏに設定する。その後ステップＳ４０８へ進む。
【００４７】
ステップＳ４０８では、タッチパネル１０２から受理した情報により、タッチパネルにおける直交座標系で表される、現在ユーザがタッチしている座標Ｐ（ｘ、ｙ）を取得する。その後、ステップＳ４０９へ進む。
【００４８】
ステップＳ４０９では、現在ユーザがタッチしている座標Ｐを、タッチパネル１０２における直交座標系から突起部１０３の円の中心を原点とした極座標系に変換する。具体的には、Ｐと突起部１０３の円の中心（ｘ、ｙ）から、極座標系のタッチ距離Ｍ（＝√（（ｘ−ｘ０）＾２＋（ｙ−ｙ０）＾２））、とタッチ角度θ（＝ａｒｃｔａｎ（（ｙ−ｙ０）／（ｘ−ｘ０）））に変換する。その後ステップＳ４１０へ進む。
【００４９】
ステップＳ４１０では、現在のタッチ距離Ｍと距離基準点距離Ｍｏの差分の絶対値（距離情報の時間変化）が、あらかじめ決められたフリック閾値Ｍｔｈよりも小さいかどうかを判断することで、「フリック」操作を検出する。現在のタッチ距離Ｍと距離基準点距離Ｍｏの差分の絶対値、すなわち、円中心もしくは円遠方へムーブした距離が、フリック閾値Ｍｔｈ以上の場合は、「フリック」操作が行われたと判断して、ステップＳ４１１へ進む。フリック閾値Ｍｔｈより小さい場合は、「フリック」操作ではないとして、ステップＳ４１２へ進む。
【００５０】
「フリック」操作があった場合、ステップＳ４１１で、現在のデジタルカメラ１００の設定状況を鑑みて、ユーザの「フリック」入力に対応した設定変更指示をデジタルカメラ１００の各構成要素に出力する。設定変更指示は、第一の表示部１０１および第二の表示部１０４に映し出す表示変更指示も含まれる。その後、ステップＳ４１４へ進む。
【００５１】
「フリック」操作でなかった場合、ステップＳ４１２へ進み、現在のタッチ角度θと角度基準点角度θｏの差分の絶対値が、あらかじめ決められた回転閾値θｔｈよりも大きいか小さいかを判断することで、「回転」が行われたかを検出する。現在のタッチ角度θと角度基準点角度θｏの差分の絶対値（角度情報の時間変化）、すなわち、突起部１０３に沿うようにムーブした角度が、回転閾値θｔｈ以上のときは「回転」が行われたとして、ステップＳ４１３へ進む。回転閾値θｔｈより小さい場合は、「回転」が行われていないとして、ステップＳ４１７へスキップする。
【００５２】
「回転」操作を検出した場合、ステップＳ４１３で、現在のデジタルカメラ１００の設定状況を鑑みて、ユーザの「回転」入力に対応した設定変更指示をデジタルカメラ１００の各構成要素に出力する。設定変更指示は、第一の表示部１０１および第二の表示部１０４に映し出す表示変更指示も含まれる。その後、ステップＳ４１４へ進む。
【００５３】
ステップＳ４１４では、タップフラグがＯＮになっているかを判断する。もし、ここでタップフラグＯＮになっているときは、ステップＳ４１５へ進み、タップフラグをＯＦＦにする。タップフラグは、ユーザの後述するタッチアップ後のステップＳ４１８において、「タップ」処理を行うか否かを判断するのに用いられる。なお、ステップＳ４１５は「フリック」「回転」処理の後のステップであり、ここでタップフラグをＯＦＦにすることで、「フリック」「回転」処理と「タップ」処理を排他にする。その後、ステップＳ４１６へ進む。また、２回目以降の「フリック」「回転」処理後のステップＳ４１４の判定ではタップフラグは既にＯＦＦとなっているため、ステップＳ４１５を経由せずにステップＳ４１６へ進むことになる。
【００５４】
次に、ステップＳ４１６では、Ｍｏ＝Ｍ、θｏ＝θとして基準点の更新を行う。これにより、再びタッチダウンをせずとも基準点が更新される。２回目以降のステップＳ４１０とステップＳ４１２では、ユーザが前回に行った「フリック」「回転」後のタッチ座標を基準点として、それからさらに「フリック」「回転」が行われたか判断することができる。その後、ステップＳ４１７に進む。
【００５５】
ステップＳ４１７では、タッチパネル１０２から受理した情報により、タッチアップがあったか判断する。タッチアップありと判断したときは、ステップＳ４１８へ進む。タッチアップなしと判断したときは、ステップＳ４０８へ戻り、ユーザのタッチ位置の距離情報および角度情報から「フリック」「回転」入力の判定と判定結果に基づく処理を行う。
【００５６】
ステップＳ４１８では、タップフラグがＯＮか判断する。タップフラグＯＮの場合は、ステップＳ４１４を通らなかった、すなわち、タッチダウンからタッチアップまでに一定量を超えるムーブがなく、「フリック」「回転」処理が行われなかったことを意味している。タップフラグＯＮの場合ステップＳ４１９へ進む。タップフラグがＯＦＦの時は、本フローチャートを終了とする。
【００５７】
ステップＳ４１９では、現在のデジタルカメラ１００の設定状況を鑑みて、ユーザの「タップ」入力に対応した設定変更指示をデジタルカメラ１００の各構成要素に出力する。設定変更指示は、表示部に映し出す表示変更指示も含まれる。その後、本フローチャートは終了となる。
【００５８】
なお、ステップＳ４１１「フリック」処理、ステップＳ４１３「回転」処理においては、変更後の設定値などを決めたり、設定値などのＵＩ表示を変えるだけで、実際に各処理ブロックへの変更や機能を実行するのは終了処理のときとしてもよい。
【００５９】
以上のように、第１の実施形態によれば、ユーザは突起部１０３をガイドとして、タッチパネル１０２に対して「タップ」「フリック」「回転」の入力をして、カメラの種々の設定操作を行うことができる。それぞれの操作種別に異なる機能を関連付ければ、ユーザは突起部１０３をガイドとして、右手親指のタッチパネル入力だけで、短時間に多くの設定操作を行うことができる。さらに、ユーザは撮影時のカメラ把持状態を崩すことなく、これらの入力を行うことができる。
【００６０】
（第２の実施形態）
第２の実施形態では、本発明に係る撮像装置において、タッチパネル１０２の表面上に複数の突起部を設ける応用例についてについて述べる。なお、前述の実施形態と同じ構成については同じ符号を付し、その説明を省略する。
【００６１】
図５は、本発明の第２の実施形態に係る撮像装置（デジタルカメラ１００）の例を示す外観図である。上段がデジタルカメラ１００の背面図、下段がａ−ｂ線での断面図である。タッチパネル１０２の表面上で、ユーザがデジタルカメラ１００を把持している状態で右手親指で操作可能な範囲内に、中心を同一とする円弧状の第一の突起部５０１（外側の突起部）と第二の突起部５０２（内側の突起部）が配置されている。
【００６２】
第一の突起部５０１は第二の突起部５０２よりも直径が大きく、第二の突起部５０２の外側に配置された中心を同一とする円弧上の突起である。第二の突起部５０２は第一の突起部５０１よりも直径が小さく、第一の突起部５０１の内側に配置された中心を同一とする円弧上の突起である。
【００６３】
デジタルカメラ１００への入力において、ユーザが第一の突起５０１上、又はその近傍にタッチダウンした後に、指を第一の突起５０１に沿うように時計回り／反時計回りに一定量ムーブさせた後にタッチアップさせる操作を「外回転」と定義する。また、ユーザが第二の突起５０２上、又はその近傍にタッチダウンした後に、指を第二の突起５０２に沿うように時計回り／反時計回りに一定量ムーブさせた後にタッチアップさせる操作を「内回転」と定義する。また、第２の実施形態におけるデジタルカメラ１００においても、第１の実施形態で定義した「タップ」「フリック」の入力を受理できる。
【００６４】
図６は、本発明の第２の実施形態に係る突起部（ガイド）を操作した場合の操作種別を特定するフローチャートである。本フローチャートは、システム制御部１８０によって、各処理ブロックを制御し実行される処理手順を図示したものである。システム制御部１８０が、不揮発性メモリ１８１に格納されたプログラムをシステムメモリ１８２に展開して実行することにより実現される。本フローチャートは、システム制御部１８０が、タッチパネル１０２からの情報を受理したときに開始される。
【００６５】
ステップＳ４０１〜Ｓ４０４は、図４と同様の処理であるため説明を省略する。
【００６６】
ステップＳ６０５では、ユーザのタッチダウンが第一の突起部５０１および第二の突起部５０２をガイドとした入力であったか判断をする。具体的には、Ｍｄが第一の突起５０１の円半径＋α以下であったか判断をする。ここでαは例えば一般的な親指の太さほどの大きさとする。これによりユーザが第一の突起部５０１の外側に沿って触れたときも、タッチダウンが第一の突起部５０１をガイドとした入力であったと判断できる。タッチダウンが第一の突起部５０１および第二の突起部５０２をガイドとした入力でないとき、つまり通常タッチパネル操作のとき、ステップＳ４０６へ進み、通常タッチパネル処理を行う。タッチダウンが第一の突起部５０１および第二の突起部５０２をガイドとした入力であるとき、ステップＳ４０７へ進む。
【００６７】
図６のステップＳ４０７〜Ｓ４１２は、図４と同様の処理であるため説明を省略する。
【００６８】
ステップＳ６１３では、具体的には現在のタッチ距離Ｍが内外判定距離Ｍｍよりも小さいか大きいかを判断することで、ユーザのタッチパネル１０２に対しての入力が「外回転」なのか「内回転」なのかを判断する。内外判定距離Ｍｍは例えば第二の突起５０２の半径＋（（第一の突起５０１の半径―第二の突起５０２の半径）÷２）である。ステップＳ６１３でＭがＭｍよりも大きいと判断されたとき、つまりユーザのタッチパネル１０２に対しての入力が「外回転」と判断されたとき、ステップＳ６２０へ進む。ステップＳ６１３でＭがＭｍよりも小さいと判断されたとき、つまりユーザのタッチパネル１０２に対しての入力が「内回転」と判断されたとき、ステップＳ６２１へ進む。
【００６９】
ステップＳ６２０では、現在のデジタルカメラ１００の設定状況を鑑みて、ユーザの「外回転」入力に対応した設定変更指示をデジタルカメラ１００の各構成要素に出力する。設定変更指示は、表示部に映し出す表示変更指示も含まれる。その後、ステップＳ４１４へ進む。
【００７０】
ステップＳ６２１では、現在のデジタルカメラ１００の設定状況を鑑みて、ユーザの「内回転」入力に対応した設定変更指示をデジタルカメラ１００の各構成要素に出力する。設定変更指示は、表示部に映し出す表示変更指示も含まれる。その後、ステップＳ４１４へ進む。
【００７１】
ステップＳ４１４〜Ｓ４１９は、図４と同様の処理であるため説明を省略する。
【００７２】
以上のように、第２の実施形態によれば、ユーザは第一の突起５０１および第二の突起５０２をガイドとして、「タップ」「フリック」「外回転」「内回転」の入力をして、デジタルカメラ１００の種々の設定操作を行うことができる。第１の実施形態と同様にそれぞれの操作種別に異なる機能を関連付ければ、ユーザは右手親指のタッチパネル入力だけで、短時間に多くの設定操作を行うことができる。さらに第２の実施形態におけるデジタルカメラ１００は、第１の実施形態よりも多くの操作種別を受理できる。これにより、ユーザは第一の突起５０１および第二の突起５０２をガイドとして、より短時間により多くの設定操作を行うことができる。
【００７３】
また、第２の実施形態において、ステップＳ４１０で用いるフリック閾値Ｍｔｈを第一の突起部５０１と第二の突起部５０２の位置の差分としてもよい。例えば、ユーザが第二の突起５０２でタッチダウンをして、第一の突起５０１に向かってムーブし、第一の突起５０１でタッチアップを行う操作を「フリック」とすることができる。同様に、ユーザが第一の突起５０１でタッチダウンをして、第二の突起５０２に向かってムーブし、第二の突起５０２でタッチアップを行う操作も「フリック」とすることができる。これにより、ユーザが「フリック」を行う際にそれぞれの突起がタッチダウンの位置とタッチアップの位置の目安となり、操作性の向上につながる。
【００７４】
また、第２の実施形態において、ステップＳ４１２で「回転」操作でないと判定された後に、第一の突起部５０１および第二の突起部５０２を同時にタッチしているかを判定するステップを追加してもよい。その後、ステップＳ４１８において、第一の突起部５０１および第二の突起部５０２を同時にタッチしていた場合にのみ、タップフラグをＯＮにする。両方の突起部に同時に触れたときのみ「タップ」と判定するようにしておくことで、意図せず、どちらかの突起部に触れてしまった場合の誤動作を低減することが可能となる。なお、その場合、第一の突起部５０１および第二の突起部５０２を同時にタッチ可能な間隔で設置することが必要である。
【００７５】
以上、第２の実施形態によれば、内回転、外回転の操作を検出することが可能になり、より多くの機能や設定項目を割り当てることが可能になる。さらに、リングの数を増やすことで、より多くの階層での操作を行うことが可能になる。また、リングが１つの場合と比較して、フリック機能を発動させるための操作量の始点と終点を、内側のリング、外側のリングに触れることで把握させることができるので、ユーザにとってはフリック操作のための操作量が分かりやすくなり操作性が向上する。また、複数のリングに触れたときにタップと判定することで、意図しないタッチによる誤操作を低減させることができる。
【００７６】
（第３の実施形態）
第３の実施形態では、本発明に係る撮像装置において、第一の表示部１０１と第二の表示部１０４の異なる位置にフィードバックＧＵＩを表示する応用例について述べる。
【００７７】
図７は、本発明の第３の実施形態に関わる表示系の実施例を示す図である。本実施形態において、デジタルカメラ１００は、第一の表示部１０１に第一のフィードバックＧＵＩ７０１を、第二の表示部１０４に第二のフィードバックＧＵＩ７０２をそれぞれ表示している。
【００７８】
第一のフィードバックＧＵＩ７０１は本発明による突起部１０３をガイドとしたタッチパネル１０２の操作を、第一の表示部１０１を介して、ユーザにフィードバック表示するものである。図７で示すように第一のフィードバックＧＵＩ７０１は例えば円形である。第一のフィードバックＧＵＩ７０１は円弧上の突起部１０３の形と対応させることでユーザはより直感的な操作が可能となる効果がある。ユーザが第一の表示部１０１を目視しながら突起部１０３をガイドとした操作を行うとき、突起部１０３と重なる位置に第一のフィードバックＧＵＩ７０１があると、突起部１０３をタッチする際に第一のフィードバックＧＵＩ７０１が指で隠れる。つまり第一の表示部１０１においては、突起部１０３とは重ならない位置に第一のフィードバックＧＵＩ７０１を表示させることで、ユーザの操作性はより向上する。このため、第一の表示部１０１の左側に第一のフィードバックＧＵＩ７０１を表示させる。
【００７９】
また、第二のフィードバックＧＵＩ７０２は本発明による突起部１０３をガイドとしたタッチパネル１０２の操作を、第二の表示部１０４を介してファインダ内表示を行い、ユーザにフィードバック表示するものである。図７で示すように第二のフィードバックＧＵＩ７０２も例えば円形である。ユーザが第二の表示部１０４を目視しながら突起部１０３をガイドとした操作を行うときは指で第二のフィードバックＧＵＩ７０２が見えなくなることはない。また、突起部１０３の位置に対応する位置に第二のフィードバックＧＵＩ７０２を表示させることで、ユーザは恰も第二のフィードバックＧＵＩ７０２を直接指で操作している感覚を得られる。つまり第二の表示部１０４においては、第一の表示部１０１に突起部１０３がある位置と、相対的に同じ位置に第二のフィードバックＧＵＩ７０２を表示させることで、ユーザの操作性はより向上する。このため、第二の表示部１０４のファインダ内の右側に第二のフィードバックＧＵＩ７０２を表示させる。
【００８０】
また、再生画像又はライブビュー画像を表示する際に、設定変更モードや撮影準備段階など突起部１０３をガイドとした操作可能なときと、操作不要なときで、画像表示の領域を変更するように構成してもよい。すなわち、突起部１０３をガイドとした操作をしないときは、突起部１０３の下も含めた第一の表示部１０１の全領域に画像表示をする表示状態とすることで、画像全体を大きく表示可能である。また、突起部１０３をガイドとした操作中は、突起部１０３が設置された領域を含まない領域に画像全体を表示する表示状態ことで、操作する手に邪魔されることなく画像全体を確認しながら設定操作が可能になる。
【００８１】
以上のように第３の実施形態によれば、表示部によってフィードバックＧＵＩを表示させる位置を変えることで、ユーザが目視している表示部に限らず、操作性の高いデジタルカメラ１００を提供することができる。なお、図７でそれぞれの表示部で表示させるフィードバックＧＵＩは同じとしたが、それぞれに適した異なるフィードバックＧＵＩを表示させてもよい。
【００８２】
なお、本発明に係る突起部（ガイド）は、円弧状でなく直線状の突起部とすることも可能である。また、複数の直線状の突起部を所定の間隔で並行して設けてもよい。ただし、その場合は、「回転」操作はない。また、タッチ位置の検出方法、タッチ操作を算出する計算式は本実施形態に限定されず、本発明の目的の範囲内で適宜変更可能である。
【００８３】
以上、本発明の好ましい実施形態について説明したが、本発明はこれらの実施形態に限定されず、その要旨の技術思想の範囲内において、適宜、変形、改良されて適応するべきものである。例えば、上述した実施形態で、撮像装置として説明したデジタルカメラは、スチルカメラやビデオカメラに適用することができる。また、この例に限定されず、タッチパネルを有する電子機器に適用可能である。例えば、パーソナルコンピュータやＰＤＡ、携帯電話端末や携帯型の画像ビューワ、タッチパネルおよびディスプレイを備えるプリンタ装置、デジタルフォトフレーム、音楽プレーヤー、ゲーム機、電子ブックリーダーなどに適用できる。その他、上述した実施形態における各構成要素の材質、形状、寸法、数、配置箇所、等は本発明を達成できるものであれば任意であり、限定されない。
【符号の説明】
【００８４】
１００  デジタルカメラ
１０１  第一の表示部
１０２  タッチパネル
１０３  突起部
１０４  第二の表示部
１０５  シャッターボタン
１０６  グリップ部
１７０  メモリ制御部
１７１  第一のＤ／Ａ
１７４  第二のＤ／Ａ
１８０  システム制御部
５０１  第一の突起部
５０２  第二の突起部
【図１】
2020005214.tif 000003
【図２】
2020005214.tif 000004
【図３】
2020005214.tif 000005
【図４】
2020005214.tif 000006
【図５】
2020005214.tif 000007
【図６】
2020005214.tif 000008
【図７】
2020005214.tif 000009